(57)【特許請求の範囲】
【請求項１】
並列する矩形の取り付け孔が設けられ、壁面に吊り下げ可能または台上に起立可能なパネル本体と、
商品を吊り下げ可能な竿状のフック本体の基部に、取り付け孔よりも幅広のフランジ、フランジの背面上方から上向きに屈曲するＬ字片、およびフランジの背面下方から突出する爪片が連設されたフックと、からなり、
前記パネル本体の正面方向から前記フックを上向きに傾けてそのＬ字片をパネル本体の取り付け孔に通し、さらに前記フックの傾きを戻してその爪片をパネル本体の取り付け孔に押し込むことで、
前記フランジが前記パネル本体の正面に衝合し、前記Ｌ字片が前記パネル本体の背面の取り付け孔上方に当接し、前記爪片が前記パネル本体の背面の取り付け孔下縁に係合して、前記フックは取り付け孔の正面方向および背面方向に抜け止めされて前記パネル本体に取り付けられる陳列パネルであって、
前記パネル本体は、前記取り付け孔の左右の少なくとも一側に易破断線により区画される開口予定部を有し、
前記フックが前記パネル本体に取り付けられた状態で隣接する前記開口予定部側に傾けると、フランジの押圧により前記易破断線が破断して開口予定部に取り付け孔へと連通する開口が形成されることで、フックを取り付け孔から正面方向および背面方向の少なくとも一方向に抜き取り可能となる陳列パネル。
【請求項２】
前記パネル本体の背面に取り付けられた、前記フックを収納可能な収納箱をさらに備える請求項１に記載の陳列パネル。
【請求項３】
前記パネル本体は、その左右両側に上下方向に延びる筒形のスタンドを有し、このスタンドはその外周面に前記パネル本体全体を折り曲げる際の起点となるノッチを有する請求項１または２に記載の陳列パネル。
【請求項４】
前記パネル本体は、そのスタンドの外周面に吊紐を引っ掛け可能なＵ字型のスリットを有する請求項３に記載の陳列パネル。
【発明の詳細な説明】
【技術分野】
【０００１】
この発明は、商品をフックに引っ掛けた状態で陳列する陳列パネルに関する。
【背景技術】
【０００２】
特許文献１のように、壁面に吊り下げるかあるいは台上に起立させるパネル本体と、パネル本体から正面方向に突出する複数のフックと、からなる陳列パネルが知られている。ここで各フックには商品が引っ掛けられ、陳列の用に供される。
このパネル本体には、上下左右に並列する矩形の取り付け孔が設けられており、各取り付け孔にフックの基部がはめ込まれている。
【０００３】
フックの基部には、取り付け孔よりも幅広のフランジと、フランジの背面上方から上向きに屈曲するＬ字片と、フランジの背面下方から突出する爪片と、が設けられている。
フックのはめ込みの際には、フック全体を先端部が上になるように傾けながらパネル本体の正面側からＬ字片を取り付け孔に通し、ついでフック全体を水平に戻してその爪片を取り付け孔へと押し込む。
【０００４】
この状態でフックの基部のフランジはパネル本体正面に衝合し、Ｌ字片はパネル本体背面の取り付け孔の上側に当接し、爪片はパネル本体背面の取り付け孔の下部孔縁に係合する。
そのため、フックは正面方向および背面方向のいずれにも抜け止めされた状態でパネル本体に取り付けられることになる。
【先行技術文献】
【特許文献】
【０００５】
【特許文献１】特開平９−２４４５３２号公報
【発明の概要】
【発明が解決しようとする課題】
【０００６】
ところで陳列パネルを廃棄する際には、パネル本体は通常紙製であり、フックは通常プラスチック製であって材質が異なるため分別するのが望ましい。
しかし従来の陳列パネルでは、上述のようにフックはパネル本体の取り付け孔に抜け止め状態に固定されている関係上、パネル本体を破壊してフックを取り外す必要がある。そのため、分別に手間がかかる問題があった。
【０００７】
そこでこの発明は、パネル本体とパネル本体の取り付け孔に取り付けられるフックとからなる陳列パネルについて、その廃棄の際にフックをパネル本体から取り外し容易とすることである。
【課題を解決するための手段】
【０００８】
上記した課題を解決するために、発明にかかる陳列パネルでは、そのパネル本体の取り付け孔の左右の少なくとも一側に、ミシン目などの易破断線により区画される開口予定部を設けたのである。
そして、パネル本体に取り付けられたフックを隣接する開口予定部側に傾けると、そのフランジの押圧により前記易破断線が破断して開口予定部に取り付け孔へと連通する開口が形成されるようにしたのである。
これにより、フックを取り付け孔から正面方向および背面方向の少なくとも一方向に抜き取り可能としたのである。
このように、フックを左右に傾けるだけで、フックをパネル本体から容易に取り外すことができる。
【０００９】
このパネル本体の背面に、フックを収納可能な収納箱を取り付けておくと、陳列箱の組立前や陳列箱の廃棄に伴う分解時に、フックがばらけないようにまとめておくことができるため好ましい。
【００１０】
前記パネル本体の左右両側に、上下方向に延びる筒形のスタンドを設けると、このスタンドでもってパネル本体を台の上に起立可能となり、またこのスタンドがパネル本体の補強になるため好ましい。
そして、このスタンドの外周面に、パネル本体全体を折り曲げる際の起点となるノッチを設けると、陳列箱の廃棄の際にパネル本体をコンパクトに折り畳みやすくなるため好ましい。
【００１１】
さらにスタンドの外周面に、吊紐を引っ掛けるためのＵ字型のスリットを設けると、陳列パネルを台上に起立させるだけでなく壁面に吊り下げ可能ともなり、また陳列パネルの廃棄の際には吊紐をスリットから抜き取ることで容易に取り外せるため好ましい。
【発明の効果】
【００１２】
発明にかかる陳列パネルを以上のように構成したので、フックを左右に傾けるだけでパネル本体から容易に取り外し可能となった。
【図面の簡単な説明】
【００１３】
【図１】第１実施形態の陳列パネルの正面斜視図
【図２】第１実施形態の陳列パネルの背面分解斜視図
【図３】第１実施形態の陳列パネルの吊紐をスリットに引っ掛けた箇所を示す背面部分斜視図
【図４】第１実施形態の陳列パネルのパネル本体を折り畳んだ状態を示す斜視図
【図５】第１実施形態の陳列パネルの収納箱をパネル本体に取り付けた箇所を示す背面部分斜視図
【図６】第１実施形態の陳列パネルのパネル本体にフックを取り付ける手順を示す陳列パネルの一部拡大側面図
【図７】第１実施形態の陳列パネルのパネル本体からフックを取り外す手順を示す陳列パネルの一部拡大斜視図
【図８】第２実施形態の陳列パネルの正面斜視図
【図９】第２実施形態の陳列パネルのパネル本体の展開図
【図１０】第２実施形態の陳列パネルのパネル本体の背面図
【発明を実施するための形態】
【００１４】
以下、図面を参照しつつこの発明の実施形態について説明する。
【００１５】
図１から図７に示す、第１実施形態の陳列パネル１は、ドラッグストア等で商品の陳列の用に供される。
図１のように陳列パネル１は、壁面に吊り下げたり台の上に起立させたりすることができるパネル本体１０と、パネル本体１０に取り付けられて商品を引っ掛けることができるフック２０と、を備える。
図２のように、パネル本体１０には、上下左右に並列する取り付け孔１１が設けられており、この取り付け孔１１にパネル本体１０の正面側からフック２０の基部がはめ込まれている。
【００１６】
詳しくは、パネル本体１０は紙製であって、図２のようにその左右両側の背面には、上下に延びる三角筒形のスタンド１２が連設されている。このスタンド１２によって、パネル本体１０は補強されるとともに台の上に起立させることが可能となっている。
【００１７】
スタンド１２は、たとえばパネル本体１０の左右両側を背面側に向けて三角筒形に巻き込んで糊付けすることにより形成される。
また、図２のように、両スタンド１２の上部の外周面には略Ｕ字型のスリット１２ａが形成されている。図３のように、このスリット１２ａに吊紐１３を引っ掛けることで、パネル本体１０は壁面に吊り下げ可能となっている。また、スリット１２ａには狭窄部１２ｂが設けられて、引っ掛けた吊紐１３が外れにくいようになっている。
【００１８】
図２のように、両スタンド１２の上下方向の中央部の外周面には、略三角形のノッチ１２ｃが形成されている。スタンド１２のノッチ１２ｃが形成された箇所は、強度が弱められているため、パネル本体１０を廃棄する際には、図４のように、このノッチ１２ｃを起点に二つ折りできる。こうして、パネル本体１０をコンパクトに折り畳めるようになっている。
さらに、図１および図２のように、一方のスタンド１２の一部は切り起こされて表示部１２ｄが形成されている。表示部１２ｄの正面側には、図示省略の商品広告が印刷されて広告の用に供されている。
また、図２のように、両スタンドのノッチ１２ｃよりも下方の外周面には、左右方向に直線状に延びるスロット１２ｅが、上下２列に並列して設けられている。
【００１９】
図２のように、パネル本体１０背面の両スタンド１２間には、上下に並列する三角筒形のスリーブ１４が架け渡されて、パネル本体１０を補強している。このスリーブ１４は、たとえば短冊形の紙片を三角筒形に巻き回して、パネル本体１０の背面に糊付けすることにより形成される。
【００２０】
さらに図２および図５のように、パネル本体１０背面の両スタンド１２間には、フック２０を収納可能な紙製の収納箱１５が取り付けられている。
収納箱１５は、図示のようにコの字型に折り曲げた紙片の上片および下片の左右側を、それぞれスタンド１２の上記したスロット１２ｅに差し込むことで形成される。この場合、両スタンド１２が収納箱１５の左右の側壁を構成することになる。
図５の一点鎖線で示すように、収納箱１５の上片から側片にかけては切れ込みが入れられて開口するようになっており、ここからフック２０を収納できるようになっている。
【００２１】
図１および図２のように、パネル本体１０には、左右方向に２列、上下方向に３列をなす、計６個の取り付け孔１１が等間隔をおいて形成されている。取り付け孔１１は矩形をなし、その上下幅が左右幅よりも大きくなっている。
【００２２】
また、図１および図２のように、パネル本体１０の右列の取り付け孔１１の左側および左列の取り付け孔１１の右側、すなわち各取り付け孔１１の左右側のうちパネル本体１０の中央寄りの側には、丸みを帯びた矩形の開口予定部１６が設けられている。
【００２３】
ここで開口予定部１６は、略コの字型をなすミシン目１６ａにより区画形成されている。ミシン目１６ａの上辺は、取り付け孔１１の上縁に連通している。一方ミシン目１６ａの下辺は、取り付け孔１１の下縁には連通することなくその若干下側に位置している。
このため、開口予定部１６の上下幅は取り付け孔１１の上下幅よりも若干大きくなっている。なお、開口予定部１６の左右幅は取り付け孔１１の左右幅よりも若干大きくなっている。
【００２４】
次にフック２０はプラスチック製であって、図１および図２のように、竿状のフック本体２１の先端部は引っ掛けた商品が脱落しないように起立している。
また、フック本体２１の基部には扁平に広がるフランジ２２が連設されており、フック本体２１の下面とフランジ２２との間には、三角形状の補強用リブ２３が架け渡されている。
【００２５】
ここで、フランジ２２は略円板をなしているが、その上下縁は水平に切り欠かれている。フランジ２２の左右幅は、パネル本体１０の取り付け孔１１の左右幅よりも大きくなっているが、パネル本体１０の取り付け孔１１と開口予定部１６の左右の合計幅よりも小さくなっている。
なおフランジ２２の上下幅は、パネル本体１０の取り付け孔１１の上下幅とほぼ同一か若干小さくなっている。
【００２６】
また図２のように、フランジ２２の背面の上側には、背面方向に突出し次いで上方へと屈曲するＬ字片２４が連設されている。さらにフランジ２２の背面の下側には、背面方向に突出する下向きの爪片２５が連設されている。
【００２７】
ここで、Ｌ字片２４と爪片２５の先端間の距離は、パネル本体１０の取り付け孔１１の上下幅よりも大きくなっているが、パネル本体１０の取り付け孔１１と開口予定部１６の左右の合計幅よりも小さくなっている。
なおＬ字片２４および爪片２５の左右幅は、パネル本体１０の取り付け孔１１の左右幅とほぼ同一か若干小さくなっている。
【００２８】
このフック２０をパネル本体１０に固定して陳列パネル１を完成させる際には、図６（ａ）のように、まずフック２０をその先端部が上を向くように傾けながらパネル本体１０の正面から近づけ、そのＬ字片２４を取り付け孔１１へと通す。ついで図６（ｂ）のように、フック２０を水平に戻してその爪片２５を取り付け孔１１に押し込む。
【００２９】
こうすることで、図６（ｂ）のように、フック２０のフランジ２２はパネル本体１０の正面に衝合する。フランジ２２の左右幅が取り付け孔１１の左右幅よりも大きいため、フック２０は取り付け孔１１に対して、パネル本体１０の背面方向に抜け止めされることになる。
また、図６（ｂ）のように、フック２０のＬ字片２４はパネル本体１０背面に当接し、爪片２５はパネル本体１０背面の取り付け孔１１の下縁に係合する。Ｌ字片２４と爪片２５の先端間の距離は取り付け孔１１の上下幅よりも大きいため、フック２０は取り付け孔１１に対して、パネル本体１０の正面方向に抜け止めされることになる。
【００３０】
陳列パネル１を分解する際には、図７の矢印で示すように、フック２０をパネル本体１０の隣接する開口予定部１６の側へと傾ける。すると、フランジ２２により開口予定部１６が押圧され、そのミシン目１６ａが破断して開口が形成される。図７の左側に示すように、こうしてできる開口が取り付け孔１１と連通することで、取り付け孔１１が拡大した状態となる。
【００３１】
ここで、上述したように取り付け孔１１と開口予定部１６の左右の合計幅は、フック２０のフランジ２２の左右幅よりも大きいため、開口予定部１６が開口することでフック２０はパネル本体１０の背面方向に抜き取り可能となる。
また、上述したように取り付け孔１１と開口予定部１６の左右の合計幅は、フック２０のＬ字片２４と爪片２５の先端間の距離よりも大きいため、フック２０を軸周りに９０度回転させると（寝かせると）、フック２０はパネル本体１０の正面方向にも抜き取り可能となる。
【００３２】
このように、フック２０を左右に傾けるだけで、パネル本体１０から簡単に取り外し可能となる。なお、取り外したフック２０は、ばらけないように収納箱１５に収納しておくと廃棄の際に便利である。
また、パネル本体１０のスリット１２ａに引っ掛けた吊紐１３についても、図３の一点鎖線で示すように、下側方に強く引っ張ると狭窄部１２ｂを抜け出てスリット１２ａから簡単に外れるため、分別が容易である。
【００３３】
ここで、陳列パネル１の使用中にフック２０に商品を引っ掛けると、その重みにより取り付け孔１１の下縁部に大きな荷重がかかる。
この実施形態では、開口予定部１６のミシン目１６ａの下辺を、取り付け孔１１の下縁部からずらして配置しているため、取り付け孔１１の下縁部にかかる荷重が直接ミシン目１６ａに作用しないようになっている。したがって、陳列パネル１の使用中に商品の重みで不用意にミシン目１６ａが破断することが防止されている。
また、廃棄の際にも、破断したミシン目１６ａの下辺が、取り付け孔１１の下縁部に連通しないため、開口予定部１６の抜きカスがパネル本体１０から分離せずその開口にぶら下がった状態となる。そのため、抜きカスがパネル本体１０から分離して散乱することが防止されている。
【００３４】
図８から１０に示す第２実施形態の陳列パネル２では、そのパネル本体１０が短冊形の紙片を２つ折りしたものである点で、第１実施形態と異なっている。フック２０については第１実施形態とまったく同様であるため説明を省略する。
【００３５】
パネル本体１０を構成する紙片の表片１０ａには、上下に並列する６つの矩形の取り付け孔１１が設けられ、取り付け孔１１の左右の一側には、ミシン目１６ａで囲まれた開口予定部１６が形成されている。取り付け孔１１と開口予定部１６の形状や寸法は第１実施形態と同様である。
【００３６】
また図９および図１０に示すように、紙片の裏片１０ｂには、表片１０ａと重ねあわせた際に取り付け孔１１と一対一に合致する通孔１７が設けられている。この通孔１７は、左右幅が取り付け孔１１と開口予定部１６の左右の合計幅より大きく、上下幅が取り付け孔１１と開口予定部１６のいずれの上下幅よりも大きくなっている。さらに裏片１０ｂの上側には、吊紐１３を引っ掛けるためのＵ字型のスリット１２ａも設けられている。
【００３７】
この陳列パネル２は、第１実施形態と同様に、フック２０をパネル本体１０の隣接する開口予定部１６の側に傾けると、フランジ２２により開口予定部１６が押圧され、そのミシン目１６ａが破断して開口が形成され、これが取り付け孔１１と連通しフック２０が取り外し可能となる。
ここで通孔１７は上述のような寸法であるため、フック２０をパネル本体１０の背面方向に抜き取る際の妨げとはならない。
【００３８】
また、この陳列パネル２では、パネル本体１０が紙片を２つ折りするだけのきわめて簡単な構造であるため低コストが図られている。この陳列パネル２は、フック２０が上下にのみ並列してパネル本体１０の左右幅が狭い構造であるため、展示スペースが小さい場合に好適に使用される。
【００３９】
開口予定部１６の形状および寸法は、上記実施形態に限定されず、要は開口予定部１６がミシン目１６ａの破断により開口した場合に、フック２０を取り付け孔１１の正面方向および背面方向の少なくともいずれか一方に向けて抜き取ることが可能な形状および寸法であればよい。
開口予定部１６の数も上記実施形態に限定されず、たとえば取り付け孔１１の左右両側に開口予定部１６を設けてもよい。
開口予定部１６を区画するのは上記実施形態のミシン目１６ａに限定されず、ハーフカット線などの他の易破断線でもよい。
【符号の説明】
【００４０】
１  第１実施形態の陳列パネル
２  第２実施形態の陳列パネル
１０  パネル本体
１０ａ  表片
１０ｂ  裏片
１１  取り付け孔
１２  スタンド
１２ａ  スリット
１２ｂ  狭窄部
１２ｃ  ノッチ
１２ｄ  表示部
１２ｅ  スロット
１３  吊紐
１４  スリーブ
１５  収納箱
１６  開口予定部
１６ａ  ミシン目
１７  通孔
２０  フック
２１  フック本体
２２  フランジ
２３  リブ
２４  Ｌ字片
２５  爪片
【図１】
0005502576.tif 000002
【図２】
0005502576.tif 000003
【図３】
0005502576.tif 000004
【図４】
0005502576.tif 000005
【図５】
0005502576.tif 000006
【図６】
0005502576.tif 000007
【図７】
0005502576.tif 000008
【図８】
0005502576.tif 000009
【図９】
0005502576.tif 000010
【図１０】
0005502576.tif 000011